(57)【要約】【課題】  ゴルフボールをゴルフクラブのヘッドで打った際、ゴルフ用ティーからゴルフボールを介してゴルフクラブに作用する抵抗力を小さくできる新たなゴルフ用ティーを提供する。【解決手段】  地面２に差し込まれる挿込部１１と、挿込部１１の上部に設けられてゴルフボール４を載置する載置部１２とを有するゴルフ用ティー１０であって、挿込部１１と載置部１２とが分離可能とされているとともに、挿込部１１と載置部１２とに、挿込部１１と載置部１２とが所定の距離以上に離れることを防止するひも１５が接続され、挿込部１１または載置部１２の一方に永久磁石１８が設けられ、他方に永久磁石１８が吸着可能なヨーク１９が設けられて挿入部１１と載置部１２とが吸着可能とされている。【選択図】      図１
2006043400.tif 000002
【特許請求の範囲】
【請求項１】
地面に差し込まれる挿込部と、前記挿込部の上部に設けられてゴルフボールを載置する載置部とを有するゴルフ用ティーであって、前記挿込部と前記載置部とが分離可能とされているとともに、前記挿込部と前記載置部とに、前記挿込部と前記載置部とが所定の距離以上に離れることを防止する連結索が接続され、前記挿込部または前記載置部の一方に永久磁石が設けられ、他方に前記永久磁石が吸着可能な磁性体または永久磁石が設けられて前記挿入部と前記載置部とが吸着可能とされていることを特徴とするゴルフ用ティー。
【請求項２】
載置部がその軸心方向長さを調整可能な長さ調整機構を有することを特徴とする請求項１記載のゴルフ用ティー。
【請求項３】
載置部が弾性部材により形成されていることを特徴とする請求項１または２記載のゴルフ用ティー。
【発明の詳細な説明】
【技術分野】
【０００１】
本発明は、ゴルフ用ティーに関する。
【背景技術】
【０００２】
ゴルフ用ティーとして、図９に示すようなものがあることはよく知られている。このゴルフ用ティー１は、地面２に挿し込まれる挿込部３と、ゴルフボール４を載置する円形の載置台５ａを上部に有する載置部５とを有し、挿込部３と載置部５とが一体に形成されている。
【０００３】
このゴルフ用ティー１の挿込部３を地面２に挿し込み、かつ、載置部５の載置台５ａにゴルフボール４を載置したうえで、図外のゴルフクラブによりゴルフボール４を打つ。
このとき、ゴルフボール４の下部４ａは、載置台５ａにおける凹部５ｂに入り込んでおり、例えば、ゴルフボール４を、図９における右側から左側にゴルフクラブで打った際には、図１０に示すように、ゴルフ用ティー１からゴルフボール４を介して、右向きの抵抗力Ｒがゴルフクラブのヘッドに作用することがある。
【０００４】
このような抵抗力Ｒを小さくすることができるゴルフ用ティーとして、例えば、特許文献１に記載されたものがある。
このゴルフ用ティー６は、図１１に示すように、地面２に挿し込む挿込部３がプラスチック製で、ゴルフボール４を載置するための載置部５がゴム製であり、この挿込部３と載置部５とが一体となるように形成されているものである。
【０００５】
このような構成によると、ゴルフボール４をゴルフクラブで打った際には、ゴム製の載置部５が適度に湾曲することで、ゴルフ用ティー６からゴルフボール４を介して、ゴルフクラブのヘッドに作用する抵抗力Ｒを小さくすることができる。
【特許文献１】特開２００３−１８０８９４号公報
【発明の開示】
【発明が解決しようとする課題】
【０００６】
上述のように、ゴルフボール４をゴルフクラブで打った際には、ゴルフ用ティー１からゴルフボール４を介してゴルフクラブのヘッドに抵抗力Ｒが作用することがある。
そこで本発明は、ゴルフボールをゴルフクラブで打った際、ゴルフ用ティーからゴルフボールを介してゴルフクラブに作用する抵抗力を小さくすることができる新たなゴルフ用ティーを提供することを目的とする。
【課題を解決するための手段】
【０００７】
上記課題を解決するために本発明は、地面に差し込まれる挿込部と、前記挿込部の上部に設けられてゴルフボールを載置する載置部とを有するゴルフ用ティーであって、前記挿込部と前記載置部とが分離可能とされているとともに、前記挿込部と前記載置部とに、前記挿込部と前記載置部とが所定の距離以上に離れることを防止する連結索が接続され、前記挿込部または前記載置部の一方に永久磁石が設けられ、他方に前記永久磁石が吸着可能な磁性体または永久磁石が設けられて前記挿入部と前記載置部とが吸着可能とされているものである。
【０００８】
このような構成によれば、載置部と挿込部とを永久磁石によって吸着させることで、前記載置部を前記挿込部の上部に安定して設けることができ、前記載置部にゴルフボールが載置された状態で、前記ゴルフボールがゴルフクラブにより打たれた際には、前記ゴルフボールを介して前記載置部に伝わる打撃力により、前記載置部と前記挿込部との吸着状態が解消されて前記載置部が前記挿込部から分離することで、前記載置部から前記ゴルフボールを介してゴルフクラブに作用する抵抗力を抑制することができる。さらに、前記載置部が分離したときには前記挿込部は地面に差し込まれたままであり、前記連結索によって、前記挿込部と前記載置部とが所定の距離以上に離れることを防止することができるので、前記挿込部から分離した後の前記載置部を容易に回収することができる。
【発明の効果】
【０００９】
以上のように本発明によれば、ゴルフボールがゴルフクラブにより打たれた際には、前記ゴルフボールを介して載置部に伝わる打撃力により、前記載置部と挿込部との吸着状態が解消されて前記載置部が前記挿込部から分離することで、前記載置部から前記ゴルフボールを介してゴルフクラブに作用する抵抗力を小さくすることができる。
【発明を実施するための最良の形態】
【００１０】
本発明の実施の形態のゴルフ用ティーを図１〜図８を参照しながら説明する。
図１および図２に示すように、本実施の形態のゴルフ用ティー１０は、地面２に差し込まれる樹脂製の挿込部１１と、挿込部１１の上部に設けられてゴルフボール４を載置する樹脂製の載置部１２とを有する。この挿込部１１と載置部１２とは、互いに別体に形成されて分離可能とされている。なお、挿込部１１と載置部１２とは、硬質の樹脂にて形成されている。
【００１１】
挿込部１１および載置部１２には、それらの軸心に垂直な方向に貫通孔１３および貫通孔１４が形成されており、これらの貫通孔１３、１４には、挿込部１１と載置部１２とが所定の距離以上に離れることを防止する連結索としての所定の長さのひも１５が通されている。そして、貫通孔１３および貫通孔１４に通されたひも１５の両端部には、ひも１５の抜けを防止する抜け止め部１５ａが形成されている。これにより、挿込部１１と載置部１２とが接続されている。これらの貫通孔１３、１４は、一方側から他方側にかけて径が大きくなるようにテーパ状に形成されており、貫通孔１３、１４にひも１５を通す際には、貫通孔１３、１４の他方側、すなわち径が大きい側からひも１５を通すことで、貫通孔１３、１４にひも１５を通す作業を容易に行うことができる。
【００１２】
挿込部１１の上部には、永久磁石１８が埋め込まれている。この永久磁石１８は、下面に磁性体からなる第１のヨーク１６が吸着した状態で配置され、かつ、上面および側面が例えば真鍮からなる防食キャップ１７に覆われている。また、載置部１２の下部における挿込部１１と接続される箇所には、永久磁石１８に吸着可能な磁性体または永久磁石、本実施の形態の場合は磁性体からなる第２のヨーク１９が埋め込まれており、挿入部１１と載置部１２とを互いに吸着させた状態で、挿込部１１の上部に載置部１２を配置することが可能とされている。
【００１３】
挿込部１１における第１のヨーク１６は、図３（ａ）〜図３（ｃ）に示すように、円盤状で、周方向に等間隔をおいた複数の位置、例えば３箇所の位置に、径方向内向きに所定の深さの切欠部１６ａが形成されている。防食キャップ１７は内部に円盤状の永久磁石１８を収容可能な空洞部１７ａを有する円形の盆型状に形成されており、その周縁部における周方向に等間隔をおいた３箇所の位置には、第１のヨーク１６側に向けて、第１のヨーク１６の厚みよりも長く形成されることで第１のヨーク１６の切欠部１６ａのそれぞれにはまり込む爪部１７ｂが形成されている。
【００１４】
防食キャップ１７の空洞部１７ａに永久磁石１８が収容されて、この防食キャップ１７により永久磁石１８の上面と側面とが覆われた状態で、防食キャップ１７における爪部１７ｂが第１のヨーク１６の切欠部１６ａにはめ込まれて、永久磁石１８が第１のヨーク１６を吸着している。そして、図３（ｃ）に示すように、防食キャップ１７の爪部１７ｂにおける第１のヨーク１６よりも下側に突き出ている部分（以下、突出部と記す）１７ｃが、図中の仮想線に示すように、第１のヨーク１６の下面に接触するまで径方向内側に折り曲げられて、永久磁石１８が防食キャップ１７と第１のヨーク１６とにより覆われた状態で保持されている。
【００１５】
永久磁石１８を保持した状態の第１のヨーク１６および防食キャップ１７が所定の位置に配置されて、挿込部１１を射出成形することで、挿込部１１に第１のヨーク１６、防食キャップ１７および永久磁石１８を埋め込んでいる。なお、挿込部１１は、図２に示すように、防食キャップ１７の上部（以下、露出部と記す）１７ｄが一定の高さだけ突出した状態で露出するように形成されている。また、永久磁石１８の下部に第１のヨーク１６を吸着させることで、永久磁石１８の磁力を強くすることができる。
【００１６】
図２に示すように、載置部１２の下部には、防食キャップ１７における突出状態の露出部１７ｄがはまり込むことが可能な空間部１２ａが形成されており、この空間部１２ａの上部には、第２のヨーク１９が、その下面が空間部１２ａに露出した状態で配置されている。この載置部１２も挿込部１１と同様、第２のヨーク１９を所定の位置に保持した状態で射出成形されており、これにより、載置部１２に第２のヨーク１９が埋め込まれている。この載置部１２の上部には、凹部１２ｂを有することでゴルフボール４を載置することが可能とされた載置台１２ｃが形成されている。
【００１７】
このような構成において、図１に示すように、挿込部１１と載置部１２とを吸着させて安定させた状態で、挿込部１１を地面２に挿し込み、載置部１２における載置台１２ｃにゴルフボール４を載置する。そして、図示しないゴルフクラブによりゴルフボール４を打つ。ゴルフボール４の下部４ａは、載置台１２ｃにおける凹部１２ｂに入り込んでおり、例えば、図中の矢印Ａのように右側から左側にゴルフボール４を打った際には、左向きの打撃力Ｆがゴルフ用ティー１０における載置部１２に作用する。
【００１８】
このとき、この打撃力Ｆにより、挿込部１１と載置部１２との吸着状態が解消されて、図４に示すように、挿込部１１が地面２に挿し込まれた状態で、載置部１２が挿込部１１から分離し、図外のゴルフボール４と同様の方向に飛んで行く。これにより、挿込部１１と載置部１２とが一体に形成されている場合に比べて、ゴルフ用ティー１０からゴルフボール４を介してゴルフクラブのヘッドに作用する抵抗力Ｒを小さくすることができる。
【００１９】
さらにこのとき、載置部１２が挿込部１１から分離し、ゴルフボール４と同様の方向に飛んで行くが、挿込部１１と載置部１２とが所定の長さのひも１５によって接続されていることで、図５に示すように、載置部１２がひも１５の長さ以上に挿込部１１から遠くに飛んで行ってしまうことを防止することができる。これにより、載置部１２が飛んで行っても、載置部１２を容易に回収することができる。
【００２０】
以上のように、挿込部１１と載置部１２とが分離可能とされ、挿込部１１と載置部１２とに、挿込部１１と載置部１２とが所定の距離以上に離れることを防止する所定の長さのひも１５が接続され、かつ、挿込部１１が永久磁石１８を有し、載置部１２が永久磁石１８に吸着される第２のヨーク１９を有することにより、載置部１２と挿込部１１とを永久磁石１８によって吸着させることで、載置部１２を挿込部１１の上部に安定して設けることができる。また、載置部１２にゴルフボール４が載置し、このゴルフボール４をゴルフクラブにより打ったときには、そのときの打撃力Ｆがゴルフボール４を介して載置部１２に伝わり、挿込部１１と載置部１２との吸着状態が解消され、載置部１２が挿込部１１から分離するので、載置部１２からゴルフボール４を介してゴルフクラブに作用する抵抗力Ｒを、挿込部１１と載置部１２とが一体に形成されているゴルフ用ティーに比べて小さくすることができる。さらに、載置部１２が分離したときには挿込部１１は地面２に差し込まれたままであり、ひも１５によって挿込部１１と載置部１２とが所定の距離以上に離れることを防止することができるので、挿込部１１から分離した載置部１２を容易に回収することができる。
【００２１】
なお、上記においては、載置部１２が硬質の樹脂製である場合を説明したが、これに限らず、載置部１２をゴムや軟質の樹脂などの弾性部材にて形成しても良い。このようにすると、載置部１２が、載置台１２ｃに載置されたゴルフボール４が打たれたときの打撃力Ｆを受けて湾曲しつつ挿込部１１から分離して飛んで行くので、載置部１２からゴルフボール４を介してゴルフクラブに作用する抵抗力Ｒを、硬質の樹脂により形成されている載置部１２を用いたゴルフ用ティーに比べて小さくすることができる。またこの場合、図６に示すように、載置部１２の内部に空洞部２０を形成し、載置部１２がより湾曲しやすくしてもよい。このようにすると、載置部１２からゴルフボール４を介してゴルフクラブに作用する抵抗力Ｒを、空洞部２０を形成しない場合に比べて一層小さくすることができる。
【００２２】
また、上記においては、連結索としてひも１５を用いた場合を説明したが、これに限らず、例えばひも状のゴムや、弾性体を螺旋状に巻いて形成したコードなどを用いても良い。このようにすると、ひも状のゴムやコードが、載置部１２が挿込部１１から離れて行く時の速度を、ひも状のゴムやコードの弾性力により緩和することができるとともに、ゴルフ用ティーの収納の際にも、ひもに比べて小さくまとまるので好適である。
【００２３】
さらに、上記において説明したゴルフ用ティー１０において、載置部１２に代えて、図７および図８に示すような、長さ調整機構としてのねじの機構を有することで軸心方向の長さを調整可能な載置部２１を用いても良い。
【００２４】
この載置部２１は、上下方向すなわち軸心方向におねじ部２１ａが形成されているとともに挿込部１１に接続される土台部２１ｂと、このおねじ部２１ａをねじ込み可能なめねじ部２１ｃが形成されているとともに上部に載置台２１ｄが形成されている可動部２１ｅとを有する。
【００２５】
このような構成によれば、めねじ部２１ｃに対するおねじ部２１ａのねじ込み深さを調整することで、ねじの機構により、載置部２１の軸心方向の長さを変えることができ、したがって、例えば、挿込部１１が地面２に挿し込まれる深さが一定であっても、地面２から載置台２１ｄに載置されるゴルフボール４までの高さを、おねじ部２１ａが形成されている長さの範囲で自在に調整することができる。
【図面の簡単な説明】
【００２６】
【図１】本発明の実施の形態のゴルフ用ティーを示す図である。
【図２】図１に示すゴルフ用ティーにおける挿込部と載置部とが離れている状態を示す図である。
【図３】第１のヨーク、防食キャップおよび永久磁石の形状およびそれらの組み立て状態を示す図である。
【図４】挿込部に対して載置部が飛んで行っている状態を示す図である。
【図５】飛んで行った載置部が挿込部から所定の範囲に落ちている状態を示す図である。
【図６】載置部を弾性部材で形成したときに、この載置部の内部に空洞部を形成した場合を示す図である。
【図７】ねじの送り機構を有する載置部を示す図である。
【図８】図７に示す載置部を有するゴルフ用ティーを示す図である。
【図９】従来のゴルフ用ティーを示す図である。
【図１０】ゴルフボールを打ったときに、ゴルフ用ティーからゴルフボールを介してゴルフクラブに作用する抵抗力を示す図である。
【図１１】特許文献１に記載されたゴルフ用ティーを示す図である。
【符号の説明】
【００２７】
２    地面
４    ゴルフボール
１０    ゴルフ用ティー
１１  挿込部
１２  載置部
１５  ひも
１８  永久磁石
１９  第２のヨーク
【図１】
2006043400.tif 000003
【図２】
2006043400.tif 000004
【図３】
2006043400.tif 000005
【図４】
2006043400.tif 000006
【図５】
2006043400.tif 000007
【図６】
2006043400.tif 000008
【図７】
2006043400.tif 000009
【図８】
2006043400.tif 000010
【図９】
2006043400.tif 000011
【図１０】
2006043400.tif 000012
【図１１】
2006043400.tif 000013